(57)【特許請求の範囲】
【請求項１】
硬貨処理装置に脱着自在に装着可能であって、
硬貨を整列積載収納するために直線的かつ並列に設けられた複数のコインチューブからなるユニットチューブと、
該ユニットチューブの背面側を開閉自在に覆う蓋体と、
少なくとも１つのコインチューブ内に脱着可能なアダプタチューブとを具え、
前記アダプタチューブは径方向に弾性を有する略円筒形状であって、その背面側には上端に連通する後上部切欠を形成し、かつ両外側に少なくとも１つずつ形成した突起形状の取付け部を有し、
前記コインチューブは、前記取付け部がそれぞれ嵌合することで前記アダプタチューブの上下および前後方向の動きを規制する複数の溝形状の被取付け部を有し、
前記アダプタチューブは、前記蓋体が拡開している状態において、硬貨収納カセットの背面側から脱着可能であることを特徴とする脱着式硬貨収納カセット。
【請求項２】
前記アダプタチューブが前記コインチューブ内の正しい位置に装着されていない場合、前記蓋体を閉塞する際に、該蓋体が前記アダプタチューブに当接して、前記アダプタチューブを前記コインチューブ内の正しい位置へ修正することを特徴とする請求項１に記載の脱着式硬貨収納カセット。
【請求項３】
硬貨処理装置に脱着自在に装着可能であって、
硬貨を整列積載収納するために直線的かつ並列に設けられた複数のコインチューブからなるユニットチューブと、
該ユニットチューブの正面側を構成する本体と、
前記ユニットチューブの背面側を開閉自在に覆う蓋体と、
少なくとも１つのコインチューブ内に脱着可能なアダプタチューブとを、
前記アダプタチューブは略円筒形状であって、
その背面側には上端に連通する後上部切欠を形成し、かつ正面側には下端に連通する前下部切欠を形成し、
上部においては硬貨を後方に寄せ、かつ下部においては硬貨を前方に寄せるとともに、前記アダプタチューブの途中で硬貨の寄せ方向を変更する傾斜部を有することを特徴とする脱着式硬貨収納カセット。
【請求項４】
前記アダプタチューブは、前記後上部切欠の下端に連続してかつ前記アダプタチューブの背面側を開閉自在に覆う小蓋体を具えることを特徴とする請求項３に記載の脱着式硬貨収納カセット。
【請求項５】
前記コインチューブの背面側には矩形孔が形成され、
前記アダプタチューブの前記小蓋体には、後方に突設されてかつ前記矩形孔を介して前記硬貨収納カセット後方に突出するアダプタ検知用突起を形成され、
該アダプタ検知用突起は、前記硬貨収納カセットを前記硬貨処理装置に装着した際に、該硬貨処理装置に設けられてかつ装着された硬貨収納カセットの種類を検知する検知手段を作動することを特徴とする請求項４に記載の脱着式硬貨収納カセット。
【発明の詳細な説明】
【技術分野】
【０００１】
本発明は、自動販売機、両替機、サービス機器等の機器内部に搭載される硬貨処理装置に脱着可能である硬貨収納カセットに関し、特に、複数の金種の硬貨を収納するコインチューブの内径を調整する技術に関する。
【背景技術】
【０００２】
一般に、自動販売機、両替機、サービス機器等の機器内部には、投入硬貨の真偽を判別して正貨を金種別に選別収納するとともに、この選別収納された硬貨を釣銭として払い出す硬貨処理装置が搭載されている。
【０００３】
この硬貨処理装置に搭載される脱着式硬貨収納カセット（以下、硬貨収納カセットと称す。）は、硬貨処理装置に対して脱着自在であって、主に、直線的かつ並列に設けられた互いに内径が異なる複数のコインチューブからなるユニットチューブと、ユニットチューブの下方域にねじ等で固着されたコインベースと、ユニットチューブの下端とコインベースとの間にスライド自在に支承され、複数のコインチューブ全ての最下層にある硬貨を一枚ずつ引き出すペイアウトスライドとから構成される。
【０００４】
この硬貨収納カセットは、さらに、硬貨収納カセットの上部を硬貨処理装置本体に係止または解除するラッチ機構と、取外しおよび装着の際に指を嵌挿して引っかけるために硬貨収納カセット正面に形成された取手部とを具えており、ラッチ機構を操作して硬貨処理装置本体と硬貨収納カセットとの結合を解除することによって、硬貨処理装置を機器に配設した状態のまま硬貨収納カセットを取外すことができる。
【０００５】
また、従来の硬貨処理装置には、装置本体に硬貨収納カセットのセットおよび種類を検知する二つの検知手段を設けて、人為的なミスによる硬貨処理装置の誤作動を防止しているものもある。
【０００６】
さらに、コインチューブ内の上端に突出するレバーを有する満杯検知手段をさらに具え、コインチューブ内に収納された硬貨が満杯になったことを検知できるようにしている。
【０００７】
ところで、硬貨収納カセットは、上記ユニットチューブに金種毎に積載収納するため、収納する各金種の径や厚みに応じた寸法に形成される専用のコインチューブがそれぞれ必要とされる。
【０００８】
このため、硬貨径の異なる世界各国で使用する場合や、用途によって適用金種の組み合わせを変更する場合、従来の硬貨収納カセットでは、その対応する国の数および用途の数だけ別々に内径の異なった一体形成型のユニットチューブを製造する必要があった。
【０００９】
また、既に自動販売機等に搭載されて使用される硬貨処理装置において、受入れ可能な硬貨を変更したい場合には、変更後の硬貨の外径に対応した内径を有する一体形成型のユニットチューブを新たに製造する必要があり、これらは硬貨処理装置の製造コスト上昇の要因となっていた。
【００１０】
これに対し、一体形成型のユニットチューブを別々に製造するのではなく、コインチューブ内にスペーサを取付けて該コインチューブの内径を変化させることによって、各種硬貨を収納する技術がある。
【００１１】
例えば、上端にフランジ部を有する円筒形状のアダプタチューブを各コインチューブ内に嵌挿して、コインチューブの内径を変化させる技術がある（特許文献１：特許第３６７２７０５号公報）。
【００１２】
しかしながら、特許文献１の技術においては、アダプタチューブが被取付け側のコインチューブの内壁面を全て覆うため、従来の硬貨処理装置では、満杯検知手段のレバーがコインチューブ内に侵入できないので、硬貨処理装置本体を改良する必要が生じる。
さらに、特許文献１の技術においては、アダプタチューブの上方向の動きを規制する手段がないので、アダプタチューブを確実にコインチューブに装着しないと、コインチューブ内にコインが整列して収納されず、払出しができない異常が発生する虞がある。
【００１３】
一方、コインチューブの内壁面全てを覆わないものとしては、半月状断面のスペーサによって、収納硬貨を満杯検知センサ側に寄せる技術がある（特許文献２：特許第４２４２７８６号公報）。この技術によればスペーサ取付け後も収納された硬貨と満杯検知センサとの距離が維持でき、満杯検知センサで収納された硬貨を検出できる。
【００１４】
しかしながら、特許文献２の技術においては、Ｌ字フックによってスペーサを取付けるため、スペーサを確実に装着しないと、コインチューブ内に硬貨が整列して収納できずに、払出しができない異常が発生する虞がある。
また、満杯検知センサが設けられた側に小径硬貨を寄せると、満杯検知センサが設けられた側のコインベースには硬貨を払出す孔が設けられているために、この孔に小径硬貨が立った状態で引っ掛かり、硬貨の払出しができなくなる虞がある。
【先行技術文献】
【特許文献】
【００１５】
【特許文献１】特許第３６７２７０５号公報
【特許文献２】特許第４２４２７８６号公報
【発明の概要】
【発明が解決しようとする課題】
【００１６】
そこで、本発明は、上述した技術に鑑み、従来の硬貨処理装置の構造を変更することなく、コインチューブの内径を変化させるアダプタチューブを装着した状態であっても硬貨の払出し異常を防止することのできる硬貨収納カセットを提供することを目的とする。
【課題を解決するための手段】
【００１７】
上述した課題を解決するために、本発明の硬貨収納カセットでは、アダプタチューブを、その背面側に上端に連通する後上部切欠が形成されかつ径方向に弾性を有する略円筒形状に設け、アダプタチューブの両外側に少なくとも１つずつ突起形状の取付け部を形成し、コインチューブには、前記取付け部がそれぞれ嵌合しかつ前記アダプタチューブの上下および前後方向の動きを規制する溝形状の被取付け部を形成して、蓋体が拡開している状態において、前記アダプタチューブを硬貨収納カセットの背面側から脱着できるようにしている。
【００１８】
さらに、前記アダプタチューブがコインチューブ内の正しい位置に装着されていない場合、前記蓋体を閉塞する際に、該蓋体が前記アダプタチューブに当接して、前記アダプタチューブを前記コインチューブ内の正しい位置へ修正するようにしてもよい。
【００１９】
また、アダプタチューブは、その背面側には上端に連通する後上部切欠を形成し、かつ正面側には下端に連通する前下部切欠を形成した略円筒形状であって、上部においては硬貨を後方に寄せ、かつ下部においては硬貨を前方に寄せるとともに、前記アダプタチューブの途中で硬貨の寄せ方向を変更する傾斜部を有するようにしている。
【００２０】
さらに、前記後上部切欠の下端に連続してかつ前記アダプタチューブの背面側を開閉自在に覆う小蓋体を具えてもよい。
【００２１】
また、前記コインチューブの背面側に矩形孔が形成し、前記アダプタチューブの前記小蓋体には、後方に突設されてかつ前記矩形孔を介して前記硬貨収納カセット後方に突出するアダプタ検知用突起を形成し、該アダプタ検知用突起が、前記硬貨収納カセットを前記硬貨処理装置に装着した際に、該硬貨処理装置に設けられてかつ装着された硬貨収納カセットの種類を検知する検知手段を作動するようにすることも可能である。
【発明の効果】
【００２２】
このように、アダプタチューブを突起と溝との嵌合によりコインチューブに取付けることによって、装着したアダプタチューブの上下および前後方向の動きを規制することができるので、硬貨を確実に整列して収納でき、払出しの異常を防ぐことができる。また、アダプタチューブ背面の上部に切欠を設けることによって、満杯検知手段のレバーがコインチューブおよびアダプタチューブ内に突出するのを阻害しないので、硬貨処理装置の設計変更を必要としない。
【００２３】
さらに、アダプタチューブに設けた凸部を本体の凹部と蓋体との間の挟み込ませるようにすれば、アダプタチューブをコインチューブに確実に装着することができる。
【００２４】
また、アダプタチューブによる硬貨の寄せの方向を、上部では後方に寄せ、下部では前方すなわち払出し孔とは反対方向に寄せるように、アダプタチューブの途中で変更することによって、満杯検知手段のレバーの動きを阻害しないと共に、硬貨に対する払出し孔の大きさの比率を下げることができるので、払出し孔に硬貨が立った状態で引っ掛かることを防止できる。
【００２５】
さらに、アダプタチューブの背面側を開閉自在の小蓋体で構成することによって、従来のユニットチューブと同様に、アダプタチューブ内の硬貨も硬貨収納カセットの背面側から回収することができる。
【００２６】
また、硬貨収納カセットの種類を検知するための検知手段を利用して、アダプタチューブの有無を自動的に検知させることによって、人為的なミスに左右されることなく、収納する硬貨種類の設定を自動的に切り替えることができる。
【図面の簡単な説明】
【００２７】
【図１】本発明に係る硬貨収納カセットの主に背面側の構成を示す背面側斜視図。
【図２Ａ】図１において、蓋体を拡開し、アダプタチューブを外した状態を示す背面側斜視図。
【図２Ｂ】図１において、蓋体を拡開した状態を示す背面側斜視図。
【図２Ｃ】図１において、蓋体およびアダプタチューブの小蓋体を拡開した状態を示す背面側斜視図。
【図３Ａ】本発明に係る硬貨収納カセットにおいてアダプタチューブを外した状態を示す、上方の側溝（３２ａ）を通る平断面図。
【図３Ｂ】図３Ａにおいて、アダプタチューブを装着した状態を示す平断面図。
【図３Ｃ】図３Ａにおけるコインチューブ（２１）の部分拡大図。
【図３Ｄ】図３Ｂにおけるコインチューブ（２１）の部分拡大図。
【図４Ａ】本発明に係るアダプタチューブの正面側斜視図。
【図４Ｂ】図４Ａにおけるアダプタチューブの背面側斜視図。
【図４Ｃ】図４Ｂにおいて、アダプタチューブの小蓋体を拡開した状態を示す背面側斜視図。
【図５Ａ】本発明に係る硬貨収納カセットにおいて、アダプタチューブの中心を通る側断面図。
【図５Ｂ】本発明に係る硬貨収納カセットにおいて、アダプタチューブの左端を通る側断面図。
【図６】本発明に係る硬貨収納カセットの主に正面側の構成を示す正面側斜視図。
【図７Ａ】本発明に係る硬貨処理装置の主に背面側の構成を示す背面側斜視図。
【図７Ｂ】図７Ａにおいて、硬貨収納カセットを取外す様子を示す背面側斜視図。
【図８】本発明に係る硬貨処理装置において、アダプタチューブの中心を通る側断面図。
【発明を実施するための形態】
【００２８】
以下、本発明に係る硬貨収納カセットの一実施例について、図１乃至図８に示す図を参照しながら説明する。
なお、本発明の硬貨収納カセットが装着される硬貨処理装置の構成は、従来のものと同様の構成とする。
【００２９】
図１に本発明に係る硬貨収納カセット１の背面側斜視図を示す。
硬貨収納カセット１は、図１に示すように、硬貨選別部１１０（図７Ａおよび図７Ｂ参照）から落下する硬貨を整列積載収納するための直線的かつ並列的に設けられる複数のコインチューブ２１〜２５からなるユニットチューブ２と、ユニットチューブ２の下方域にねじ等で固着されたコインベース５とから主に構成されている。
そして、ユニットチューブ２は、ユニットチューブ２の正面側および背面側下部を構成する本体３と、ユニットチューブ２背面の略全体を開閉自在に覆う蓋体４とから主に構成されている。
【００３０】
さらに、コインチューブ２１には、コインチューブ２１の内径を変えるための着脱可能なアダプタチューブ６を取付けている。
なお、本実施例の、アダプタチューブ６はコインチューブ２１のみに取付けているが、他のコインチューブ２２〜２５のいずれかに取付けてもよく、また、複数のコインチューブ２１〜２５に選択式に取付けることもできる。
【００３１】
蓋体４は、図２Ａ乃至図２Ｃに示すように、本体３の下部に形成した軸部３１、３１と蓋体４に設けた軸部４１、４１との係合により、本体３に対して回転自在に支承されており、蓋体４が閉塞している状態においては、本体３と蓋体４とアダプタチューブ６の内周壁面とによってコインチューブ２１〜２５の内周壁面を形成している。
【００３２】
このような構成によると、ユニットチューブ２の上端からのみならず、背面側から収納硬貨を回収することが可能であるので、収納硬貨の回収を容易かつ迅速にできる。
【００３３】
なお、蓋体４の軸部４１を本体３の軸部３１に取付ける際は、軸部４１を先端に有する腕部４２、４２の弾性（樹脂材料の弾性復帰力等）を利用するものである。
【００３４】
図３Ａおよび図３Ｂに示すように、コインベース５には、コインチューブ２１〜２５それぞれの下方域において、図示せぬ硬貨払出し機構の図示せぬペイアウトスライドによって後方（図示上方）に引き出した硬貨を落下させるための払出孔５１〜５５を形成している。
【００３５】
この払出孔５１〜５５のサイズおよび位置は、上方から落下してくる硬貨が払出孔５１〜５５の弧状縁とコインチューブ２１〜２５の内周壁面との間に引っ掛かって立った状態のままになることがないように設計されるものとする。
【００３６】
図４Ａ乃至図４Ｃに、本実施例におけるアダプタチューブ６を示す。図４Ａは、本発明に係るアダプタチューブの正面側斜視図、図４Ｂはアダプタチューブの背面側斜視図、図４Ｃは図４Ｂにおいて、アダプタチューブの小蓋体を拡開した状態を示す背面側斜視図である。
【００３７】
アダプタチューブ６は、コインチューブ２１の内径に嵌合する外径を有する略円筒形状であって、背面上側に略矩形状の後上部切欠６１と、正面下側に略矩形状の前下部切欠６２とを形成している。
【００３８】
図３Ｂ、図４Ａ乃至図４Ｃおよび図５Ａに示すように、アダプタチューブ６は、後上部切欠６１の下端に連通する傾斜面６３ａと、前下部切欠６２の上端に連通する傾斜面６３ｂとを形成しており、上部においてはコインチューブ２１の背面側内周壁面に硬貨を寄せ、中央部から下部においてはコインチューブ２１の正面側内周壁面に硬貨を寄せるよう、傾斜面６３ａと傾斜面６３ｂとが対向する領域を境界にして収納硬貨の寄せ方向を徐々に変更するようにしている。
【００３９】
これにより、アダプタチューブ６をコインチューブ２１に取付けた状態において、コインチューブ２１の上部では、収納硬貨を満杯検知レバー１０５および満杯検知センサ１０７（図８参照）が設けられた側に寄せて整列収納させるので、アダプタチューブ６を取付けた状態であっても、収納硬貨と満杯検知レバー１０５および満杯検知センサ１０７との距離がアダプタチューブ６装着前と比べて変わらず、満杯検知レバー１０５および満杯検知センサ１０７が収納硬貨を確実に検出できる。
【００４０】
さらに、コインチューブ２１およびアダプタチューブ６内の収納硬貨（小径硬貨）を、下部において正面側に寄せるように構成することによって払出孔５１が設けられた側とは反対側に硬貨を寄せて整列収納させるので、払出孔５１に小径硬貨が立った状態で引っ掛かって硬貨が払出せなくなることを防止している。
【００４１】
図４Ａ乃至図４Ｃに示すように、アダプタチューブ６外周壁面の正面寄り両側部には、上下それぞれに外側に突設した側突起６４ａ、６４ａ、６４ｂ、６４ｂを左右対称に形成している。また、側突起６４ａ、６４ａより下方かつ側突起６４ｂ、６４ｂより上方であって、アダプタチューブ６外周壁面の両側部には、それぞれ２つずつの凸部６５ａ、６５ａ、６５ｂ、６５ｂを左右対称に形成している。
【００４２】
他方、図２Ａ、図３Ａ乃至図３Ｄおよび図５Ｂに示すように、本体３におけるコインチューブ２１の内周壁面には、前後方向に延びる溝形状であって、かつ、アダプタチューブ６装着時にその後端３２１ａ、３２１ａ（側溝３２ｂ、３２ｂの後端は符号なし）に側突起６４ａ、６４ａ、６４ｂ、６４ｂが嵌合する側溝３２ａ、３２ａ、３２ｂ、３２ｂを形成している。また、図１、図２Ａ乃至図２Ｃ、および図５Ｂに示すように、本体３におけるコインチューブ２１側端の縁部には、アダプタチューブ６装着時に凸部６５ａ、６５ａ、６５ｂ、６５ｂが係合する凹部３３ａ、３３ａ、３３ｂ、３３ｂを形成している。
【００４３】
アダプタチューブ６は、蓋体４を拡開している状態で、アダプタチューブ６を径方向にたわませながらコインチューブ２１の下方に挿し込み、側突起６４ｂ、６４ｂを側溝３２ｂ、３２ｂに、また、側突起６４ａ、６４ａを側溝３２ａ、３２ａにそれぞれ嵌合させることによって取付ける。
【００４４】
この際、アダプタチューブ６の前方への移動は、コインチューブ２１の内壁面にアダプタチューブ６前方の外壁面が嵌合することによって規制され、後方への移動は、側溝３２ａ、３２ａ、３２ｂ、３２ｂの後端３２１ａ、３２１ａ（側溝３２ｂ、３２ｂの後端は符号なし）が側突起６４ａ、６４ａ、６４ｂ、６４ｂを係止することによって規制される。
【００４５】
また、側溝３２ａ、３２ａ、３２ｂ、３２ｂは、上下方向に対して面当たりとして設け、側突起６４ａ、６４ａ、６４ｂ、６４ｂの上下方向への移動を規制するものとする。なお、スムーズに取付け可能であるように、側溝３２ａ、３２ａ、３２ｂ、３２ｂの取付け方向（前後方向）に面取りを設けること好ましい。
【００４６】
また、蓋体４が閉塞している状態において、凸部６５ａ、６５ａ、６５ｂ、６５ｂは、凹部３３ａ、３３ａ、３３ｂ、３３ｂと、蓋体４におけるコインチューブ２１側端である側端縁部４３、４３とによって挟み込まれるように設けられる。
【００４７】
このような構成によると、アダプタチューブ６が正しくセットされず、凸部６５ａ、６５ａ、６５ｂ、６５ｂが嵌合せずにコインチューブ２１から浮いている場合であっても、蓋体４を閉塞する際に、側縁部４３、４３が凸部６５ａ、６５ａ、６５ｂ、６５ｂに当接して、強制的に凸部６５ａ、６５ａ、６５ｂ、６５ｂを凹部３３ａ、３３ａ、３３ｂ、３３ｂに嵌合させ、アダプタチューブ６をコインチューブ２１にセットすることができる。
【００４８】
なお、凸部および凹部の形状および形成する位置は、実施例に示したものに限らず、また、凸形状と凹形状の組み合わせに限らず、蓋体４を閉塞する際に、蓋体４がアダプタチューブ６に当接してアダプタチューブ６を正しい位置に押し込むことができ、かつ、蓋体４の閉塞を妨げないものであれば、どのようなものであっても構わない。
【００４９】
このように、アダプタチューブ６は確実に正しい位置にセットされるようにしており、また、アダプタチューブ６がコインチューブ２１に装着されている状態においては、側溝３２ａ、３２ａ、３２ｂ、３２ｂが側突起６４ａ、６４ａ、６４ｂ、６４ｂの上下および前後方向の動きを規制して、アダプタチューブ６のガタつきを規制することができるので、硬貨を確実に整列して収納でき、払出しの異常を防ぐことができる。
【００５０】
アダプタチューブ６をコインチュ−ブ２１から取外す際には、略円筒形状であるアダプタチューブ６全体の径方向へのたわみを利用し、アダプタチューブ６を左右から押圧して、側突起６４ａ、６４ａ、６４ｂ、６４ｂを側溝３２ａ、３２ａ、３２ｂ、３２ｂから係脱させる。
【００５１】
また、アダプタチューブ６は、図２Ｃおよび図４Ｃに示すように、アダプタチューブ６の背面側を開閉自在に覆う小蓋体６６を有し、この小蓋体６６は、蓋体４下端より少し上の高さに設けた軸部６７を中心に回転自在に支承される。
【００５２】
小蓋体６６を開閉自在にすることによって、ユニットチューブ２内の収納硬貨を硬貨収納カセット１背面側から回収する際に、アダプタチューブ６内の収納硬貨も回収できるようにしている。
【００５３】
さらに、図１および図２Ｂに示すように、アダプタチューブ６の小蓋体６６背面側に形成した押圧突起６８は、蓋体４を閉塞した際に、蓋体４におけるコインチューブ２１の背面側に形成した矩形孔４４に遊挿されて蓋体４の背面側に突出するように設けるものとする。
【００５４】
なお、この押圧突起６８と、蓋体４におけるコインチューブ２１、２２境界部背面側に形成した突起４５と、蓋体４におけるコインチューブ２１の背面側上部に形成した矩形孔４６とについては、後述において改めて説明する。
【００５５】
また、図６に示すように、この硬貨収納カセット１正面には、硬貨収納カセット１の上部を硬貨処理装置１００（図７Ａおよび図７Ｂ参照）本体に係止または解除するラッチ機構３４を操作するラッチ操作部３５を有し、本体３の正面を覆う正面カバー３６には、ラッチ操作部３５を操作可能であるように設けられた操作孔３７と、取外しおよび装着の際に指を嵌挿して引っかけるための取手孔３８とを具えている。
【００５６】
このような硬貨収納カセット１は、図７Ａおよび図７Ｂに示すように、硬貨処理装置１００に対して着脱自在に装着されるものであって、コインベース５の前面に形成した切欠部５６、５６と、硬貨処理装置１００の下方部を構成するボトムベース１２０前面の上縁に上方に向かって形成した外止め爪１２１、１２１との係合によって、正面側下縁が軸止され、さらに、ラッチ機構３４の操作により本体３上部の両側面に出没自在である爪部３９、３９と、硬貨処理装置１００本体の係止部１０１、１０１との係合によって、上部が固定される。
【００５７】
そして、操作孔３７を介してラッチ操作部３５に親指をかけ、取手孔３８にその他の指を嵌挿した状態で、ラッチ操作部３５を下方に押し下げ、爪部３９、３９を係止部１０１、１０１から解除して、硬貨処理装置１００本体上部との係合を解除するとともに、切欠部５６、５６および外止め爪１２１、１２１を軸として回転させることによって、硬貨処理装置１００を図示せぬ機器に配設した状態のまま硬貨収納カセット１を取外すことができる。
【００５８】
また、図７Ｂおよび図８に示すように、硬貨処理装置１００の硬貨収納カセット１の背面側と対向する対向面１０２には、それぞれ前後方向に揺動自在かつ常時前方に付勢される、装着検知レバー１０３と、種類検知レバー１０４と、満杯検知レバー１０５とを配設している。
【００５９】
これらのレバーは、従来の硬貨処理装置に設けられるものであって、装着検知レバー１０４は、硬貨収納カセット１が硬貨処理装置１００に装着されていることを検知するためのものであり、種類検知レバー１０４は、装着された硬貨収納装置１００の種類（扱う金種の組み合わせ）を検知するためのものであり、満杯検知レバー１０５は、コインチューブ２１内が満杯になった場合、これを検知するためのものである。
【００６０】
装着検知レバー１０３および種類検知レバー１０４は、略Ｌ字状断面形状を有し、その長辺が常時は対向面１０２に沿い、かつ折れ部を回転中心にして後方に揺動可能に配置される（なお、装着検知レバー１０３は、図８において種類検知レバー１０４の図示奥に位置するため図示されない）。
【００６１】
硬貨収納カセット１を硬貨処理装置１００に装着すると、蓋体４の矩形孔４４から突出したアダプタチューブ６の押圧突起６８が種類検知レバー１０４を、蓋体４の突起４５が装着検知レバー１０３を後方に押圧し、種類検知レバー１０４および装着検知レバー１０３が後方に揺動する。
【００６２】
そして、硬貨処理装置１００本体内部に配設された種類検知センサ（フォトインタラプタ）１０６および図示せぬ装着検知センサが、それぞれ種類検知レバー１０４および装着検知レバー１０３の動作を検知する（非遮光状態になる）ことによって、硬貨収納カセット１が硬貨処理装置１００に装着され、かつアダプタチューブ６がコインチューブ２１内に装着されていることを検知するようにしている。
【００６３】
このように、コインチューブ２１にアダプタチューブ６が装着されているか否かを自動的に検知することによって、コインチューブ２１収納される硬貨の金種の切り替えが硬貨処理装置１００の図示せぬ制御部に自動的に伝達されるので、人為的なミスによって図示せぬ制御部がコインチューブ２１内の硬貨の種類を誤認する不具合を防止することができる。
【００６４】
また、満杯検知レバー１０５は、蓋体４の矩形孔４６を介してコインチューブ２１の上端に突出するように設けられるものであって、コインチューブ２１内の収納硬貨が満杯検知レバー１０４の高さまで達した際に、収納硬貨により後方に押圧されて揺動する動作を硬貨処理装置１００本体内部に配設された満杯検知センサ１０７によって検知されて、コインチューブ２１内が満杯であることを検知するためのものである。
【００６５】
ここで、上述したように、アダプタチューブ６には後上部切欠６１を形成しており、満杯検知レバー１０４がコインチューブ２１内へ突出するのを、アダプタチューブ６が妨げることがないようにしている。
【００６６】
なお、満杯検知レバーおよびセンサはコインチューブ２２〜２５にも同様にそれぞれ設けられる。
【００６７】
以上の如く、本発明の硬貨収納カセットは、アダプタチューブの取付けを突起と溝との嵌合にすることによって上下および前後方向のガタつきを防止している。
【００６８】
また、アダプタチューブ下部において払出し孔と反対方向に収納硬貨を寄せることによって、収納硬貨に対して払出し孔の大きさが過大にならないようにしているので、払出し孔に硬貨が立った状態で引っ掛かることによる、硬貨の払出し異常を防止することができる。
【００６９】
また、アダプタチューブ上部においては収納硬貨を蓋体側に寄せることによって、従来の硬貨処理装置の満杯検知レバーをそのまま使用できるようにしている。
【００７０】
さらに、アダプタチューブに設けた凸部を本体と蓋体とによって挟み込ませることによって、アダプタチューブを確実にコインチューブ内にセットするので、アダプタチューブの装着不良による硬貨の払出し異常を防止することができる。
【００７１】
また、アダプタチューブの背面を開閉自在にする小蓋体を設けることによって、従来のユニットチューブと同様に、アダプタチューブ内の硬貨も硬貨収納カセットの背面側から回収することができる。
【００７２】
また、アダプタチューブに設けた押圧突起によって従来の硬貨処理装置の種類検知レバーを押圧できるようにすると、硬貨収納カセットの種類を判別するために設けられている種類検知レバーを、アダプタチューブの有無を検知するためのものとしてそのまま利用できるようにしている。
そして、アダプタチューブの有無を自動的に検知するので、人為的なミスに左右されることなく、収納する硬貨種類の設定を自動的に切り替えることができる。
【００７３】
なお、上記実施例において、硬貨収納カセット１を、硬貨選別部１１０を有する硬貨処理装置１００に装着していたが、本発明の硬貨収納カセットを装着する先は、例えば、硬貨選別部を有さない払出し専用の硬貨処理装置であってもよく、何ら限定されるものではない。
【符号の説明】
【００７４】
１          硬貨収納カセット
２          ユニットチューブ
２１〜２５  コインチューブ
３          本体
３１        軸部
３２        側溝
３２１      側溝の後端
３３        凹部
３４        ラッチ機構
３５        ラッチ操作部
３６        正面カバー
３７        操作孔
３８        取手孔
３９        爪部
４          蓋体
４１        軸部
４２        腕部
４３        側端縁部
４４        矩形孔
４５        突起
４６        矩形孔
５          コインベース
５１〜５５  払出孔
５６        切欠部
６          アダプタチューブ
６１        後上部切欠
６２        前下部切欠
６３        傾斜面
６４        側突起
６５        凸部
６６        小蓋体
６７        軸部
６８        押圧突起
１００        硬貨処理装置
１０１        係止部
１０２        対向面
１０３        装着検知レバー
１０４        種類検知レバー
１０５        満杯検知レバー
１０６        種類検知センサ（フォトインタラプタ）
１０７        満杯検知センサ（フォトインタラプタ）
１１０        硬貨選別部
１２０        ボトムベース
１２１        外止め爪
【図１】
0006437256.tif 000002
【図２Ａ】
0006437256.tif 000003
【図２Ｂ】
0006437256.tif 000004
【図２Ｃ】
0006437256.tif 000005
【図３Ａ】
0006437256.tif 000006
【図３Ｂ】
0006437256.tif 000007
【図３Ｃ】
0006437256.tif 000008
【図３Ｄ】
0006437256.tif 000009
【図４Ａ】
0006437256.tif 000010
【図４Ｂ】
0006437256.tif 000011
【図４Ｃ】
0006437256.tif 000012
【図５Ａ】
0006437256.tif 000013
【図５Ｂ】
0006437256.tif 000014
【図６】
0006437256.tif 000015
【図７Ａ】
0006437256.tif 000016
【図７Ｂ】
0006437256.tif 000017
【図８】
0006437256.tif 000018